(57)【特許請求の範囲】
【請求項１】
濾板の貫通孔に弾性変形しつつ嵌合係止され、上記濾板の貫通孔の両端部開口の周囲の凹部にそれぞれ密着嵌合する一対の鍔部と、各鍔部に備えられて隣接濾板間に配置される濾布をそれぞれ取付ける濾布取付部とを備える弾性変形可能な濾布取付具を備えたフィルタプレスの濾板であって、
上記濾布取付具はその中間部に嵌合用凸部を有して、該嵌合用凸部が上記濾板の上記貫通孔の嵌合用凹部に嵌合されることにより、上記濾布取付具が上記濾板の上記貫通孔に嵌合係止されるようにしたことを特徴とするフィルタプレスの濾板。
【請求項２】
上記濾布取付具は２分割されかつ弾性材料より形成される分割体より構成され、各分割体は、上記濾板の上記貫通孔内で互いに密着接触する内側端部に嵌合用凸部を有して、該嵌合用凸部が上記濾板の上記貫通孔の嵌合用凹部に嵌合されることにより、上記濾布取付具が上記濾板の上記貫通孔に嵌合係止されるとともに、外側端部に上記鍔部を有するようにした請求項１に記載のフィルタプレスの濾板。
【請求項３】
上記濾布取付具の上記嵌合用凸部を、上記嵌合用凹部の深さ寸法より大きな直径寸法を有する断面円形の円環状凸部より形成するようにした請求項１又は２に記載のフィルタプレスの濾板。
【発明の詳細な説明】
【０００１】
【発明の属する技術分野】
本発明は、濾板間に配置される濾布を一枚ずつ簡単に取付けることができるフィルタプレスの濾板に関する。
【０００２】
【従来の技術】
フィルタプレスの濾板に濾布を取付けるため、従来は、例えば、実公昭４３−１４９５１号公報のように、２枚の濾布を中央部の孔部で縫い合わせて一対の濾布を形成し、濾板の貫通孔に上記濾布の一方を挿通して取付けたものがある。
【０００３】
又、実公昭４０−８３０１号公報のように濾板の貫通孔に濾布取付具をネジにて取付け、濾布と一体化した構造のものもある。
【０００４】
【発明が解決しようとする課題】
しかしながら、前者の場合、濾布の一方が損傷した場合であっても、一対の濾布をすべて取替える必要があり、また、取替える際に一方の濾布を円筒状に巻いて濾板の貫通孔から取出さねばらならいという煩雑さがあった。
【０００５】
また、後者の場合、濾布取付具を螺合させる道具を必要とし、煩雑であり、また、原液の圧力による濾板の強度補強のため突子（実公昭４０−８３０１号公報の突子３）を必要とするという問題があった。
【０００６】
本発明は、上記問題を解決することにあって、濾布取付具の取付けが容易であり、濾布の一方が損傷しても一対の濾布全てを取替える必要もなく、また、濾板補強のための突子も必要としないフィルタプレスの濾板を提供することにある。
【０００７】
【課題を解決するための手段】
上記目的を達成するために、本発明は以下のように構成する。
【０００８】
本発明の第１態様によれば、濾板の貫通孔に弾性変形しつつ嵌合係止され、上記濾板の貫通孔の両端部開口の周囲の凹部にそれぞれ密着嵌合する一対の鍔部と、各鍔部に備えられて隣接濾板間に配置される濾布をそれぞれ取付ける濾布取付部とを備える弾性変形可能な濾布取付具を備えたフィルタプレスの濾板であって、
上記濾布取付具はその中間部に嵌合用凸部を有して、該嵌合用凸部が上記濾板の上記貫通孔の嵌合用凹部に嵌合されることにより、上記濾布取付具が上記濾板の上記貫通孔に嵌合係止されるようにしたことを特徴とするフィルタプレスの濾板を提供する。
【００１１】
本発明の第２態様によれば、上記濾布取付具は２分割されかつ弾性材料より形成される分割体より構成され、各分割体は、上記濾板の上記貫通孔内で互いに密着接触する内側端部に嵌合用凸部を有して、該嵌合用凸部が上記濾板の上記貫通孔の嵌合用凹部に嵌合されることにより、上記濾布取付具が上記濾板の上記貫通孔に嵌合係止されるとともに、外側端部に上記鍔部を有するようにした第１態様に記載のフィルタプレスの濾板を提供する。
【００１２】
本発明の第３態様によれば、上記濾布取付具の上記嵌合用凸部を、上記嵌合用凹部の深さ寸法より大きな直径寸法を有する断面円形の円環状凸部より形成するようにした第１又は２態様に記載のフィルタプレスの濾板を提供する。
【００１３】
【発明の実施の形態】
以下に、本発明にかかる実施の形態を図１〜図６に基づいて詳細に説明する。
【００１４】
本発明の第１の実施形態にかかる濾板１は、図１〜図３に示すように、その中央に矩形の濾過床３を有し、外周の額縁２の両側部の上下端部を横方向にそれぞれ突出した耳部４，…，４を有して大略構成される。
【００１５】
各耳部４は貫通孔５を有し、各貫通孔５は通常濾液回収孔として機能するが、圧搾濾板を使用する場合には、４個の貫通孔５のうちの少なくとも１つの貫通孔５は圧搾濾板の圧搾膜を膨張するための圧搾空気の圧搾空気供給孔として使用する。
【００１６】
濾過床３の略中央の貫通孔６は原液供給孔として利用されるとともに、濾布取付けのためにも使用するため、以下のような構造より構成されている。
【００１７】
図４及び図５に示すように、貫通孔６の中央部には貫通孔６の軸方向と直交する方向にへこんだ円環状の凹部７を有するとともに、貫通孔６の両側の端部開口周囲には貫通孔６の軸方向と平行な方向（濾板１の厚み方向）にへこんだ円環状段凹部８を形成する。
【００１８】
図４〜図６に示すように、上記各貫通孔６には、ゴム又は合成樹脂のような弾性体より構成された濾布取付具１０が弾性変形しつつ嵌合可能となっている。各濾布取付具１０は２分割された一対の分割体１０ａ，１０ａより構成される。
【００１９】
図６に示すように、各分割体１０ａは軸方向に貫通した原液供給孔１３を有する大略円筒状より構成され、各分割体１０ａの一端部の外周には、濾板１の円環状の凹部７に嵌合する円環状の凸部１１を有し、他端部の外周には濾板１の円環状段凹部８に嵌合する円環状の鍔部１２を有している。各鍔部１２には、濾布２０を取付ける円環状の凹部よりなる濾布取付部１４をその内側近傍に切り込むように形成するとともに、外側表面には、原液が通過する原液供給孔１３より放射状に延びる多数の原液通路１５，…，１５を有している。
【００２０】
上記濾布取付具１０は、２個の分割体１０ａ，１０ａを、それぞれ、取り付けるべき濾板１の貫通孔６の前後より挿入し、弾性変形させつつ、上記濾板１の凹部７に各分割体１０ａの凸部１１を嵌合させて貫通孔６からの抜け止めを行うとともに、上記濾板１の環状段凹部８に各分割体１０ａの鍔部１２を嵌合させて、上記濾板１を構成する。
【００２１】
このとき、上記濾布取付具１０は、ゴム又は合成樹脂のような弾性体より形成しているので、上記嵌合状態で、２つの分割体１０ａ，１０ａは濾板１の貫通孔６内で互いの内側端部が弾性力で密着して原液が濾板１側に漏れにくいようになっているとともに、濾板１の凹部７と環状段部８に各分割体１０ａの凸部１１と鍔部１２とがそれぞれ密着嵌合して濾板１との間をシールするようになっている。
【００２２】
なお、濾布２０は、通常、上記濾布取付具１０を濾板１に取付ける前に、濾布取付具１０の各分割体１０ａの濾布取付部１４に取付ておくと、上記濾布取付具１０の濾板１への取付けが完了すると、濾布２０，２０が各濾板１の前後両面に取り付けられたことになり、濾布２０，２０の取付け作業が容易となる。
【００２３】
このようにして、上記濾布取付具１０により各濾板１の前後両面にそれぞれ濾布２０を取り付けるので隣接濾板１，１間に一対の濾布２０，２０を配置した状態で、周知のフィルタプレスの可動板により濾板を親板側に締め付けると、図２のような状態となり、濾布取付部１４も押し付けられ、濾布２０は濾布取付具１０の鍔部１２でシールされる。
【００２４】
この状態では、隣接する濾布取付具１０，１０が濾板締付力により互いに押圧接触され、接触部分がほぼ完全にシールされるようになる。
【００２５】
原液は、濾布取付具１０内の原液供給孔１３に向けて図２のように流れ、原液通路１５，…，１５を通って一対の濾布２０、２０間に形成された濾室２１内に導かれて、所定の濾過を行う。濾過終了後は、可動板が後退して隣接濾板１，１間からケークを排出して濾布洗浄などを行ったのち、次の濾過に備える。
【００２６】
上記実施形態によれば、濾板１の貫通孔６に弾性変形しつつ嵌合係止され、上記濾板１の貫通孔６の両端部開口の周囲の凹部８，８にそれぞれ密着嵌合する一対の鍔部１２，１２と、各鍔部１２に備えられて隣接濾板１，１間に配置される濾布２０，２０をそれぞれ取付ける濾布取付部１４，１４とを備える弾性変形可能な濾布取付具１０を備えるようにしている。従って、濾板１に取付けた一対の濾布２０，２０の一方が損傷した場合であっても、損傷した濾布２０のみを濾布取付具１０の濾布取付部１４から取り外して新しい濾布２０に取り替えるだけでよく、一対の濾布２０，２０をすべて取替る必要がなく、また、容易に濾布２０を取替ることができる。
【００２７】
また、上記濾布取付具１０は、弾性変形可能に構成すれば、特別な道具を必要とせず、濾板１に容易に弾性変形させつつ取付けることができる。また、上記濾布取付具１０は、弾性変形可能に構成すれば、濾板１とのシールも、その効果は大なるものとなる。
【００２８】
また、上記濾布取付具１０は、濾板締付時に、隣接する濾布取付具１０，１０同士が濾板締付力により押圧接触しているので、特に従来のように濾板強度補強のための突子を付けなくてもよい。
【００２９】
なお、本発明は上記実施形態に限定されるものではなく、その他種々の態様で実施できる。
【００３０】
例えば、図７は、濾布取付具１０の原液通路１５を、原液が通過する原液供給孔１３より放射状に延びるように形成するのではなく、上下及び左右に平行に設けたものであり、濾布取付具１０の加工が容易となる。
【００３１】
また、図８は濾布取付具１０の凸部１１を、円環状の凸部の代わりに、凹部７の深さ寸法より大きな直径寸法を有する断面円形の円環状凸部３１に形成したものであり、濾板１の凹部７とのシール効果をより向上させることができる。
【００３２】
また、図９に示されるように、濾布取付具を２分割するのではなく、１つの部材より構成した濾布取付具３０としてもよい。この場合、鍔部１２は全体的にその外径を小さくするほうが、濾板１への取付時に一方の鍔部１２を貫通孔６内に通過させるときに便利であるとともに、相乗効果として、濾布２０も濾布取付部１４に取付けしやすくなる。
【００３３】
【発明の効果】
本発明によれば、濾板の貫通孔に弾性変形しつつ嵌合係止され、上記濾板の貫通孔の両端部開口の周囲の凹部にそれぞれ密着嵌合する一対の鍔部と、各鍔部に備えられて隣接濾板間に配置される濾布をそれぞれ取付ける濾布取付部とを備える弾性変形可能な濾布取付具を備えるようにしている。従って、濾板に取付けた一対の濾布の一方が損傷した場合であっても、損傷した濾布のみを濾布取付具の濾布取付部から取り外して新しい濾布に取り替えるだけでよく、一対の濾布をすべて取替る必要がなく、また、容易に濾布を取替ることができる。
【００３４】
また、上記濾布取付具は、弾性変形可能に構成すれば、特別な道具を必要とせず、濾板に容易に弾性変形させつつ取付けることができる。また、上記濾布取付具は、弾性変形可能に構成すれば、濾板とのシールも、その効果は大なるものとなる。
【００３５】
また、上記濾布取付具は、濾板締付時に、隣接する濾布取付具同士が濾板締付力により押圧接触しているので、特に従来のように濾板強度補強のための突子を付けなくてもよい。
【００３６】
また、濾布取付具の凸部を、凹部の深さ寸法より大きな直径寸法を有する断面円形の円環状凸部に形成すれば、濾板の凹部とのシール効果をより向上させることができる。
【図面の簡単な説明】
【図１】  本発明の一実施形態にかかるフィルタプレスの濾板の使用状態を示す正面図である。
【図２】  本発明の上記実施形態にかかるフィルタプレスの濾板の締め付け状態を示す縦断面図である。
【図３】  本発明の上記実施形態にかかるフィルタプレスの濾板において濾布が取り付けられていない状態での濾板を示す正面図である。
【図４】  図３の濾板の縦断面図である。
【図５】  図４の濾板の濾布取付具の位置を二点鎖線で示した状態での濾板の要部断面図である。
【図６】  上記濾板に濾布取付具を取り付けた状態でかつ濾布を一点鎖線で示した状態での濾板を示す断面図である。
【図７】  本発明の他の実施形態にかかるフィルタプレスの濾板を示す正面図である。
【図８】  本発明のさらに他の実施形態にかかるフィルタプレスの濾板を示す断面図である。
【図９】  本発明のさらに他の実施形態にかかるフィルタプレスの濾板に濾布取付具を取り付けた状態でかつ濾布を一点鎖線で示した状態での濾板を示す断面図である。
【符号の説明】
１…濾板、２…額縁、３…濾過床、４…耳部、５…貫通孔、６…貫通孔、７…凹部、８…環状段凹部、１０，３０…濾布取付具、１０ａ…分割体、１１，３１…凸部、１２…鍔部、１３…原液供給孔、１４…濾布取付部、１５…原液通路、２０…濾布、２１…濾室。
【図１】
0004125844.tif 000002
【図２】
0004125844.tif 000003
【図３】
0004125844.tif 000004
【図４】
0004125844.tif 000005
【図５】
0004125844.tif 000006
【図６】
0004125844.tif 000007
【図７】
0004125844.tif 000008
【図８】
0004125844.tif 000009
【図９】
0004125844.tif 000010